(57)【要約】【課題】工数の低減を図ることができると共に、乗降口から乗り込む利用者に明瞭な音声を伝えることのできる乗客コンベア装置の提供。【解決手段】乗降口３間を循環移動するステップの進行方向側方に立設される欄干パネル４と、この欄干パネル４の外側にあって、ステップの移動方向に沿って連続的に配置された外デッキ６と、乗降口３の乗り口側における外デッキ６の上面に、外デッキ６への進入を阻止する進入防止体９とを備えた乗客コンベア装置において、進入防止体９は乗降口３の乗り口の方向に向けて配置されるスピーカ９１を備えたものである。【選択図】図１
2016060599.tif 000002
【特許請求の範囲】
【請求項１】
乗降口間を循環移動するステップの進行方向側方に立設される欄干パネルと、前記欄干パネルの外側にあって、前記ステップの移動方向に沿って連続的に配置された外デッキと、前記乗降口の乗り口側における前記外デッキの上面に、前記外デッキへの進入を阻止する進入防止体とを備えた乗客コンベア装置において、
前記進入防止体は前記乗降口の乗り口の方向に向けて配置されるスピーカを備えることを特徴とする乗客コンベア装置。
【請求項２】
前記進入防止体は、Ｕ字状の枠体を有し、前記枠体の凹部に前記スピーカを配置したことを特徴とする請求項１に記載の乗客コンベア装置。
【請求項３】
前記進入防止体は、回動可能なポールであり、回動しつつ前記スピーカから音声を出力することを特徴とする請求項１に記載の乗客コンベア装置。
【請求項４】
前記スピーカに接続される配線は、前記進入防止体下端から前記外デッキ内を介して機械室へと敷設されることを特徴とする請求項１に記載の乗客コンベア装置。
【発明の詳細な説明】
【技術分野】
【０００１】
本発明は、乗客コンベア装置に関する。
【背景技術】
【０００２】
乗客コンベア装置にあって、スピーカから音声等を出力し、注意喚起や館内放送を行うものがある。例えば子ども等が欄干パネルの外側に配置される外デッキに上がろうとすることを防ぐものとして、特開２０１１−６３３７１号公報（特許文献１）に記載のものは、外デッキの上面、または上面近傍位置に、外デッキに上がろうとする者を検出する受光装置を備えると共に、受光装置の信号を入力したコントローラから出力される信号に応じて、乗客コンベアの周囲に配置されたスピーカにより危険であることを報知するようになっている。
【０００３】
また、乗客コンベア装置の乗降口にあって、利用者へ所定の注意喚起を行うものとして、特開２０１０−１７９９７６号公報（特許文献２）に記載のものは、乗降口近傍に位置する一方の欄干パネルの内壁面にスピーカを配置し、乗客が所定物品を携行している場合に所定物品に応じた注意喚起情報を乗客に対して報知するようになっている。
【０００４】
さらに、乗客コンベア装置の乗降口にあって、乗客へアナウンスを行うものとして、特開２００９−４６２３６号公報（特許文献３）に記載のものは、乗降口の両側に一対のポストが対向して設けられており、このポストの内部に超指向性のスピーカが取り付けられることで、ポストに近づいた乗客に対してアナウンスを行うようになっている。
【先行技術文献】
【特許文献】
【０００５】
【特許文献１】特開２０１１−６３３７１号公報
【特許文献２】特開２０１０−１７９９７６号公報
【特許文献３】特開２００９−４６２３６号公報
【発明の概要】
【発明が解決しようとする課題】
【０００６】
しかしながら、前述した特許文献１に記載のものでは、スピーカは乗客コンベアの周囲に配置されるものであり、乗客コンベアとは別途設けられるものである。したがって、スピーカ設置のために、乗客コンベア据付けとは別の工事が必要となり、手間がかかるという課題があった。
【０００７】
また、前述した特許文献２に記載のものでは、スピーカは乗客コンベアの一部として設けられる構造であるものの、欄干パネルの内壁面に配置される構造であることから、すなわちそのスピーカの向きの関係から、乗降口からステップに乗り込むために移動する利用者へ明瞭な音声を伝えることが難しいという課題があった。
【０００８】
さらに、前述した特許文献３に記載のものでは、超指向性スピーカはポストに近づく乗客に対して向けられているものの、ポストより乗客コンベア側を移動する利用客に対しては明瞭な音声を伝えることが難しいという課題があった。
【０００９】
本発明は、前述した従来技術における実状からなされたもので、その目的は、工数の低減を図ることができると共に、乗降口から乗り込む利用者に明瞭な音声を伝えることのできる乗客コンベア装置を提供することにある。
【課題を解決するための手段】
【００１０】
前記目的を達成するために、本発明は、乗降口間を循環移動するステップの進行方向側方に立設される欄干パネルと、この欄干パネルの外側にあって、前記ステップの移動方向に沿って連続的に配置された外デッキと、前記乗降口の乗り口側における前記外デッキの上面に、前記外デッキへの進入を阻止する進入防止体とを備えた乗客コンベア装置において、前記進入防止体は、前記乗降口の乗り口の方向に向けて配置されるスピーカを備えることを特徴としている。
【発明の効果】
【００１１】
本発明によれば、乗降口の乗り口側における外デッキの上面に設置され、外デッキへの進入を阻止する進入防止体に、乗降口の乗り口の方向に向けて配置されるスピーカを備えることで、工数の低減を図ると共に、乗降口から乗り込む利用者に明瞭な音声を伝えることができる。
【図面の簡単な説明】
【００１２】
【図１】本発明の乗客コンベア装置の第１の実施形態を示す断面図である。
【図２】第１の実施形態における外デッキ部分の正面図である。
【図３】第１の実施形態における進入防止体の上面図である。
【図４】第１の実施形態における進入防止体の正面図である。
【図５】第１の実施形態における進入防止体の縦断面図である。
【図６】本発明の乗客コンベア装置の第２の実施形態を示す斜視図である。
【発明を実施するための形態】
【００１３】
以下、本発明に係る乗客コンベア装置の実施形態を図に基づき説明する。
【００１４】
（実施形態１）
第１の実施形態では、乗客コンベア装置としてエスカレーターを例示する。エスカレーター１は、図１に示すように、建築構造物の下階床と上階床との間に架設される本体枠２を備えており、この本体枠２には、構成部品、例えば、無端状に連結され、乗降口３間を循環移動する複数の図示しないステップと、ステップの進行方向側方に立設される欄干パネル４と、欄干パネル４により支持され、ステップと同一方向に移動するハンドレール５と、欄干パネル４の外側にあって、ステップ（ハンドレール５）の移動方向に沿って連続的に配置された外デッキ６とを備えている。また、本体枠２の下部水平部は、制御盤７等が設置される機械室８として用いられる。
【００１５】
乗降口３の乗り口側、すなわち乗降口３の近傍における外デッキ６の上面には、図１乃至図５に示すように、外デッキ６への進入を阻止する進入防止体９が備えられていると共に、進入防止体９には、乗降口３の乗り口の方向に向けて配置されるスピーカ９１が備えられている。
【００１６】
進入防止体９は、例えばアクリル板９２ａ、９２ｂ、９２ｃで形成されるＵ字状の枠体９２を有し、この枠体９２の凹部にスピーカ９１が配置されている。アクリル板９２ｂには、スピーカ９１との対向位置に貫通孔９３が形成されている。また、アクリル板９２ａ、９２ｃは下部に装着されるＬ字鋼９４が外デッキ６に固定されることで立設している。アクリル板９２ｂは、その裏面側に配置され、スピーカ９１が固定されるスピーカボックス９５と、表面側に配置され、スピーカ９１と対向する位置に複数の孔９６が形成される鋼板９７とで挟み込まれており、スピーカボックス９５が外デッキ６に固定されることで立設している。スピーカ９１に接続される配線９８は、進入防止体９下端から外デッキ６内を介して機械室８へと敷設され、その端部は制御盤７に接続されている。なお、アクリル板９２ｂ、スピーカボックス９５および鋼板９７は、ボルト９９で共締めされている。
【００１７】
第１の実施形態にあっては、乗降口３の乗り口側における外デッキ６の上面に立設される進入防止体９により、外デッキ６へ子ども等が進入することを阻止する。一方、進入防止体９に備えられたスピーカ９１により、乗降口３の乗り口に向けて音声を出力し、乗降口３から乗り込む利用者に館内放送や注意喚起放送を行う。
【００１８】
第１の実施形態によれば、乗降口３の乗り口側における外デッキ６の上面に設置され、外デッキ６への進入を阻止する進入防止体９に、乗降口３の乗り口の方向に向けて配置されるスピーカ９１を備えたことにより、乗客コンベアに一般に設置される進入防止体９とスピーカ９１の設置工事をまとめて行う事が可能となり、これによって、工数の低減を図ることができる。
【００１９】
また、スピーカ９１を乗降口３の乗り口の方向に向けて設置することができ、したがって、乗降口３から乗り込む利用者に明瞭な音声を伝えることができる。
【００２０】
さらに、Ｕ字状の枠体９２を有し、この枠体９２の凹部にスピーカ９１を配置したことにより、簡易な構造で、外デッキ６への進入を阻止する形状としつつ、スピーカ９１の設置スペースを確保することができる。
【００２１】
また、スピーカ９１に接続される配線９８は、進入防止体９下端から外デッキ６内を介して機械室８へと敷設されることで、配線９８は人目に着くことがなく、意匠性を保つことができる。
【００２２】
さらに、進入防止体９は、枠体９２のアクリル板９２ｂの下部を、裏面側に配置されるスピーカボックス９５と表面側に配置される鋼板９７で挟み込み、スピーカボックス９５を外デッキ６に固定することで外デッキ６に据付けるため、例えば枠体９２をスピーカ９１の外枠として利用することが出来、進入防止体とスピーカをそれぞれ異なる場所に取り付ける場合と比べ少ない部品で枠体９２とスピーカ９１とを構成することができる。同時に、例えばスピーカ９５の外デッキ６への固定と、アクリル板９２ｂの外デッキへの固定とを同時に行う事が出来、据付け作業も容易なものとすることができる。
【００２３】
なお、本明細書においてＵ字状とは、図３のように角がある形状と図示しないが角のない形状とを含むものとする。また、進入防止体９に備えられるスピーカ９１は、枠体９２に接触して配置されても良いし、接触せずに配置されても良い。
【００２４】
（実施形態２）
ここで、本発明に係る乗客コンベア装置の第２の実施形態を図６に基づき説明する。
【００２５】
第２の実施形態の乗客コンベア装置は、乗降口３の乗り口側、すなわち乗降口３の近傍における外デッキ６の上面に、図６に示すように、外デッキ６への進入を阻止する進入防止体２０が設けられている。この進入防止体２０は、図示しない駆動機構により回動可能なポールであり、その上部には、スピーカ２１が取付けられている。
【００２６】
第２の実施形態にあっては、乗降口３の乗り口側における外デッキ６の上面に立設される進入防止体２０により、外デッキ６へ子ども等が進入することを阻止する。一方、進入防止体２０は回動しつつスピーカ２１により音声を出力し、乗降口から乗り込む利用者に館内放送や注意喚起放送を行う。
【００２７】
第２の実施形態によれば、進入防止体２０は回動しつつスピーカ２１から音声を出力することにより、乗降口からステップ上にわたり、より広い範囲で明瞭な音声を伝えることができる。
【００２８】
なお、前述した実施形態は本発明を分かりやすく説明するために詳細に説明したものであり、必ずしも説明した全ての構成を備えるものに限定されるものではない。また、前述した実施形態の構成の一部について、他の構成の追加・削除・置き換えをすることが可能である。
【符号の説明】
【００２９】
１  エスカレーター
２  本体枠
３  乗降口
４  欄干パネル
５  ハンドレール
６  外デッキ
７  制御盤
８  機械室
９、２０  進入防止体
２１、９１  スピーカ
９２  枠体
９２ａ〜９２ｃ  アクリル板
９３  貫通孔
９４  Ｌ字鋼
９５  スピーカボックス
９６  孔
９７  鋼板
９８  配線
９９  ボルト
【図１】
2016060599.tif 000003
【図２】
2016060599.tif 000004
【図３】
2016060599.tif 000005
【図４】
2016060599.tif 000006
【図５】
2016060599.tif 000007
【図６】
2016060599.tif 000008